(57)【特許請求の範囲】
【請求項１】
上部が開口された箱型の排水桝において、前記排水桝の側壁の外面に、上部水平リブと、一対の垂直リブと、下半分の半円形状リブと、該下半分の半円形状リブの両端部に連結された一対の中間水平リブと、前記下半分の半円形状リブの両端部と前記垂直リブとを連結する傾斜連結リブとを突設することにより、前記側壁の外面には、前記一対の垂直リブと前記傾斜連結リブと前記一対の中間水平リブを結ぶ水平線とにより、略Ｕ字状の輪郭が形成されているとともに、前記上部水平リブと前記下半分の半円形状リブとの間に位置する前記側壁の外面には、前記側壁の外面の垂直中心線上に、一定の間隔で、位置決め用窪みが形成されていることを特徴とする排水桝。
【請求項２】
前記側壁の外面に突起を突設し、該突起の先端部に、位置決め用窪みを形成したことを特徴とする請求項１に記載の排水桝。
【請求項３】
前記位置決め用窪みを、前記側壁の外面に、直に、形成したことを特徴とする請求項１に記載の排水桝。
【発明の詳細な説明】
【０００１】
【発明の属する技術分野】
本発明は、地面に埋設されて、家庭用排水等を溜めるための排水桝に関するものである。
【０００２】
【従来の技術】
従来、底部及び側壁からなる合成樹脂で一体成形された排水桝が知られている。
【０００３】
【発明が解決しようとする課題】
従来、上述した排水桝の側壁に、ホールソー等を用いて、排水管接続用の円形孔を穿設することが行われているが、排水桝の側壁に目印がないために、所定の位置に円形孔を穿設するための寸法出しに時間がかかるなど、円形孔の穿設作業性が悪いという問題があった。
【０００４】
また、排水桝の側壁と底部とにより形成される隅部に形成されているアールが小さいために、この部分に溜まった泥やゴミ等の清掃がしにくいという問題があった。
【０００５】
本発明の目的は、上述した従来の排水桝が有する課題を解決するとともに、排水管の他にＵ字溝等が接続可能な排水桝を提供することにある。
【０００６】
【課題を解決するための手段】
本発明は、上述した目的を達成するために、上部が開口された箱型の排水桝において、第１には、前記排水桝の側壁の外面に、上部水平リブと、一対の垂直リブと、下半分の半円形状リブと、該下半分の半円形状リブの両端部に連結された一対の中間水平リブと、前記下半分の半円形状リブの両端部と前記垂直リブとを連結する傾斜連結リブとを突設することにより、前記側壁の外面には、前記一対の垂直リブと前記傾斜連結リブと前記一対の中間水平リブを結ぶ水平線とにより、略Ｕ字状の輪郭が形成されているとともに、前記上部水平リブと前記下半分の半円形状リブとの間に位置する前記側壁の外面に、前記側壁の外面の垂直中心線上に、一定の間隔で、位置決め用窪みを形成したものであり、第２には、前記側壁の外面に突起を突設し、該突起の先端部に、位置決め用窪みを形成したものであり、第３には、位置決め用窪みを、側壁の外面に、直に、形成したものである。
【０００７】
以下に、本発明の排水桝及び蓋の斜視図である図１、本発明の排水桝の側壁の垂直中心線に沿った断面図である図２、図２の一点鎖線で囲まれた部分の拡大図である図３、本発明の排水桝の正面図である図４、同じく本発明の排水桝の正面図である図５及び本発明の別の実施例の排水桝の図３と同様の拡大図である図６を用いて、本発明の実施例について説明するが、本発明の趣旨を越えない限り何ら、本実施例に限定されるものではない。
【０００８】
【実施例】
Ｄは、平面形状が略矩形状で、上部が開口された箱型の排水桝である。１は、４辺に沿った周縁部１ａが上方に湾曲してアールが形成された排水桝Ｄの底部であり、底部１の上方に湾曲した周縁部１ａの上端１ｂからは、上方に向かうにしたがって外側に傾斜した側壁２が立設されている。湾曲した周縁部１ａのアールは、この部分の清掃作業性を考慮すると、排水桝Ｄの大きさにもよるが、２０ｍｍ以上が好ましく、より好まし範囲は、７０〜９０ｍｍである。３は、排水桝Ｄの上端部から外側に水平に延在するフランジであり、フランジ３の下部には、側壁２の外面から水平に突設された上部水平リブ４が形成されており、フランジ３と上部水平リブ４との間には、垂直連結リブ５が、適当な間隔で形成されている。６は、排水桝Ｄの下端部付近の側壁２の外面から水平に突設された下部水平リブである。
【０００９】
７は、排水桝Ｄの４つの角部を、それぞれ挟むように、側壁２の外面から突設された一対の垂直リブであり、上部水平リブ４の下面から排水桝Ｄの下端部まで延びている。８は、側壁２の略中程に、側壁２の外面から水平方向に突設された下半分の半円形状リブであり、９は、各側壁２に形成された半円形状リブ８の両端部を連結する中間水平リブである。１０は、半円形状リブ８の両端部と垂直リブ７の適当な位置を連結する傾斜連結リブであり、１１は、排水桝Ｄの４つの角部を、それぞれ挟むように突設された一対の垂直リブ７を連結する水平連結リブである。１２は、半円形状リブ８の下面から、排水桝Ｄの下端部まで延びる一対の垂直リブである。
【００１０】
１３は、各側壁２の垂直中心線（図４において、一点鎖線Ｌで示されている。）上で、半円形状リブ８と上部水平リブ４との間の側壁２の外面から略水平方向に突設された、複数個の突起であり、突起は、一定の間隔、例えば、２０ｍｍ間隔で所定数形成されている。突起１３の先端部には、位置決め用のすり鉢状に凹んだ窪み１３ａが形成されている。突起１３は、円柱、角柱、円錐台、角錐台等の種々の形状とすることができる。なお、Ｒは、排水桝Ｄの開口部を被蓋するための公知の蓋である。
【００１１】
排水桝Ｄに、塩化ビニール製等の所望の径を有する排水管を連結するために、側壁２に円形孔を穿設する際には、円筒状カッターの中心に位置決めピンを有する公知のホールソーを使用し、該ホールソーの位置決めピンの先端を、突起１３に形成された位置決め用窪み１３ａに挿入することにより、ホールソーの位置決めピンが、側壁２の表面上を滑って移動することなく安定し、正確な円形孔を迅速に穿設することができる。
【００１２】
各側壁２の垂直中心線に沿って、一定の間隔で位置決め用窪み１３ａが形成された突起１３を配設したので、目視でもって、側壁２に穿設される円形孔の位置及び径を、正確に特定することができるので、円形孔の穿設作業性が向上する。例えば、突起１３が、側壁２の垂直中心線上に２０ｍｍ間隔で形成された排水桝Ｄに、直径が８０ｍｍの円形孔を穿設する場合には、図４に示されている一番下の突起１３’の位置決め用窪み１３ａにホールソーの位置決めピンを差し込めば、下から３番目の突起１３まで円形孔が達することが目視で分かるとともに、側壁２の垂直中心線を挟んで対称に正確な円形孔を穿設することができるので、従来のように、物差しを用いて、いちいち、側壁２の垂直中心線を探し出す必要がない。また、例えば、２００ｍｍの円形孔を穿設する場合にも、下から６番目の突起１３”の位置決め用窪み１３ａにホールソーの位置決めピンを差し込めばよく、同様に、側壁２の垂直中心線を探し出す必要もない。
【００１３】
また、埋設される２つの排水桝Ｄに排水管を接続する際には、一方の排水桝Ｄから、もう一方の排水桝Ｄへの排水の流れをよくするために、排水管を幾分傾斜して配設することが行われている。このような場合にも、側壁２の垂直中心線に沿って、一定の間隔で位置決め用窪み１３ａが形成された突起１３が配設されているので、例えば、一方の排水桝Ｄには、一番下の突起１３を中心に円形孔を穿設し、もう一方の排水桝Ｄには、下から３番目の突起１３を中心に円形孔を穿設すれば、簡単に、しかも、迅速に、２つの排水桝Ｄ間に傾斜して排水管を配設することができる。
【００１４】
更に、図５に示されているように、同じ側壁２に形成された一対の垂直リブ７と、同じ側壁２に形成された一対の傾斜連結リブ１０と、同じ側壁２に形成された一対の中間水平リブ９を結ぶ水平線１４ａとにより、略Ｕ字状の輪郭１４が形成されているので、該輪郭１４に沿って側壁２を切断すれば、Ｕ字溝用の孔を穿設することができ、従って、従来の排水桝のように、その側壁に、Ｕ字溝用の孔の寸法取りを行う必要がなく、Ｕ字溝用の孔の穿設作業性が向上する。
【００１５】
更にまた、底部１の４辺に沿った周縁部１ａには、上方に湾曲してアールが形成されているので、底部と側壁とにより略９０度の隅部が形成されている従来の排水桝のように、この部分に溜まった泥等の清掃が困難となるようなことがなく、従って、排水桝Ｄの清掃作業性が向上する。
【００１６】
上述したように、側壁２の外面から水平方向に突設された下半分の半円形状リブ８を形成したが、この半円形状リブ８の径を、頻繁に使用する排水管の径に一致させておけば、接続される排水管の下半分が、半円形状リブ８により補強されるという効果がある。なお、上述した位置決め用の窪み１３ａが形成された突起１３は、必ずしも、全ての側壁２に配設する必要はない。
【００１７】
図６に示されている実施例は、位置決め用のすり鉢状に凹んだ窪み１３ａが形成された突起１３を、側壁２の外面に突設する代わりに、このような突起１３を突設することなく、平らな側壁２の外面に、直に、位置決め用窪み１３ａ’を形成したものである。
【００１８】
【発明の効果】
本発明は、以上説明したように構成されているので、以下に記載する効果を奏することがきる。
【００１９】
側壁の垂直中心線に沿って、一定の間隔で位置決め用窪みを形成したので、目視でもって、側壁に穿設される円形孔の位置及び径を、正確に見積もることができるので、円形孔の穿設作業性が向上する。また、埋設される２つの排水桝間に、傾斜して排水管を配設する際にも、簡単に、しかも、迅速に、配管作業を行うことができる。
【００２０】
位置決め用窪みを形成したので、ホールソーの位置決めピンの先端が、側壁の表面上を滑って移動することなく安定し、正確な円形孔を迅速に穿設することができる。
【００２１】
側壁に、略Ｕ字状の輪郭を形成したので、Ｕ字溝用の孔の穿設作業性が向上する。
【００２２】
底部の４辺に沿った周縁部に、上方に湾曲してアールを形成したので、底部と側壁とにより形成される隅部に溜まった泥等の清掃が容易となる。
【図面の簡単な説明】
【図１】図１は本発明の排水桝及び蓋の斜視図である。
【図２】図２は本発明の排水桝の側壁の垂直中心線に沿った断面図である。
【図３】図３は図２の一点鎖線で囲まれた部分の拡大図である。
【図４】図４は本発明の排水桝の正面図である。
【図５】図５は同じく本発明の排水桝の正面図である。
【図６】図６は本発明の別の実施例の排水桝の図３と同様の拡大図である。
【符号の説明】
Ｄ・・・・・・・・・・・排水桝
１・・・・・・・・・・・底部
２・・・・・・・・・・・側壁
１３ａ、１３ａ’・・・・位置決め用窪み
【図１】
0003747104.tif 000002
【図２】
0003747104.tif 000003
【図３】
0003747104.tif 000004
【図４】
0003747104.tif 000005
【図５】
0003747104.tif 000006
【図６】
0003747104.tif 000007